(57)【要約】【課題】使用者の好みに応じてより複雑なグラブ形状の保型を可能としたグラブの保型ベルトを提供することを目的とする。【解決手段】野球用又はソフトボール用グラブの保型ベルトであって、グラブの周方向に巻きつける保型用ベルト部を長手方向に複数本配置し、前記保型用ベルト部の端部に係止具を設け、前記複数の保型用ベルト部はベルト部内の一部で他の保型用ベルト部の一部と一体化していることを特徴とする野球用又はソフトボール用グラブの保型ベルト。【選択図】図２
2007202711.tif 000002
【特許請求の範囲】
【請求項１】
野球用又はソフトボール用グラブの保型ベルトであって、グラブの周方向に巻きつける保型用ベルト部を長手方向に複数本配置し、前記保型用ベルト部の端部に係止具を設け、前記複数の保型用ベルト部はベルト部内の一部で他の保型用ベルト部の一部と一体化していることを特徴とする野球用又はソフトボール用グラブの保型ベルト。
【請求項２】
前記複数の保型用ベルト部は、長手方向に配置される連結用ベルト部によって一体化されていることを特徴とする請求項１に記載の野球用又はソフトボール用グラブの保型ベルト。
【請求項３】
前記保型用ベルト部を３本で構成することを特徴とする請求項１又は２に記載の野球用又はソフトボール用グラブの保型ベルト。
【発明の詳細な説明】
【技術分野】
【０００１】
本発明は、野球用又はソフトボール用グラブ（以下、単にグラブとも称する。）の保型ベルトに関するものであって、使用者の好みに応じたグラブ形状を保持するための保型ベルトに関するものである。
【背景技術】
【０００２】
従来より、ボールの捕球を容易にするためや使用者の使い勝手を高めるなどの目的で、グラブ本体のウエブ部や各指袋の形状を使用者の好みに応じて形付け（癖付け）することが一般的に行われている。形付けの方法としては、グラブの受球ポケットにボールを挟んだ状態で、袋に収納することや、紐やゴムバンド等で緊締保持する方法が一般的に行われてきた。そのような従来の方法の課題を解決するために、本件出願人は特許文献１に記載の野球又はソフトボール用グラブの保型ベルトを開発するに至った。この特許文献１に記載の保型ベルトは、グラブの親指袋から小指袋までの外周に巻着する保型ベルトであり、前記保型ベルトは矩形形状であり両端部に係止部を有すると共に矩形形状の長さ方向の中央部にスリットが形成されたことを特徴とするものである。
【特許文献１】特開２００３−１３５６４５号公報
【発明の開示】
【発明が解決しようとする課題】
【０００３】
前記特許文献１の保型ベルトでは、矩形形状の長さ方向の中央部にスリットを形成することにより、親指袋から小指袋に掛けてのグラブ外周を被覆巻着した際に、このスリットの部分が拡張して、グラブの手の甲部と人差し指袋から小指袋の各指袋の境界部を被覆することなく巻着して緊締するため、従来の保型ベルトのように余分な緊締力が境界部に働くことが防止でき、グラブを希望する形状に保持することが出来るという効果を奏するものである。しかしながら、ベルト部が各指袋のグラブ外周を被覆巻着することで、全ての指袋においてグラブ外側から中心側に向かって力が加わることとなり、後述するような複雑なグラブ形状の保持には適さないという課題が生じる。
そこで本発明では、このような課題を解決し、使用者の好みに応じてより複雑なグラブ形状の保型を可能としたグラブの保型ベルトを提供することを目的とする。
【課題を解決するための手段】
【０００４】
本発明の野球用又はソフトボール用グラブの保型ベルトは、グラブの周方向に巻きつける保型用ベルト部を長手方向に複数本配置し、前記保型用ベルト部の端部には係止具を設け、前記複数の保型用ベルト部はベルト部内の一部で他の保型用ベルト部の一部と一体化されていることを特徴とする野球用又はソフトボール用グラブの保型ベルトである。
また、前記複数の保型用ベルト部は、長手方向に配置される連結用ベルト部によって一体化することも可能である。
【発明の効果】
【０００５】
本発明の保型ベルトでは、保型用ベルト部を複数本配置することで従来技術では不可能であった複雑なグラブ形状の保持が可能となる。具体的には、グラブの各指袋における根元部分、中央部、先端部等の位置で保型用ベルト部を通す場所を指袋の外側と内側で選択することや保型用ベルト部を配置しない領域を設けることで、使用者の好みに応じたグラブ形状の保持が実現可能となる。
また、複数存在する保型用ベルト部を長手方向に一体化することで、グラブを保型ベルトで締め付けた際に保型用ベルト部が長手方向にずれることを防止でき、保型ベルト全体がずれることなく、グラブ形状を安定して保持することができる。
【発明を実施するための最良の形態】
【０００６】
本発明の実施の形態について説明する。図１に示すように、本発明の保型ベルト１０では、グラブ形状を保持するためにグラブの周方向に巻きつける保型用ベルト部１を長手方向Ｙに複数本配置する。複数配置された保型用ベルト部１はベルト部内の一部で他のベルト部の一部と連結し一体化されている。図１では保型用ベルト部１を３本配置すると共に、３本の保型用ベルト部１は、各保型用ベルト部をまたがるように長手方向に配置される連結用ベルト部２を介して一体化されている。保型用ベルト部１と連結用ベルト部２とを一体化する方法としては縫着や接着など従来の方法が用いられる。またメンファスナー等を用いて保型用ベルト部１と連結用ベルト部２とを着脱自在にすることもできる。また、連結用ベルト部２を介することなく保型用ベルト部１の一部と隣合う他の保型用ベルト部１の一部とを直接一体化することも可能である。複数存在する保型用ベルト部１を前記のように一体化することで、グラブを締め付けた際の、保型用ベルト部１の長手方向のずれを防止することができ、保型用ベルト部１がずれることなく、グラブ形状を安定して保持することができる。
【０００７】
前記の保型用ベルト部１の本数は特に限定されるものではないが、具体的には２本以上１０本以下程度である。保型用ベルト部１を複数本配置することで後述するような複雑なグラブ形状の保持が可能となる。
【０００８】
保型用ベルト部１を構成する素材は、各種繊維で構成される織物や編物などの生地素材や、人工皮革、天然皮革などが挙げられるが、グラブを締め付けるのに充分な強度を有する素材であれば特に限定はされない。また長手方向Ｙ及び／又は周方向Ｘにおける素材の伸縮の大きさは必要に応じて任意であってよいが、巻き付けた際にベルト部をずれにくくするためには周方向Ｘにはある程度の伸縮を有することが好ましい。
【０００９】
保型用ベルト部１の周方向Ｘの長さについては、少なくとも保型するグラブの外周を被覆することが充分可能な長さを有していれば良く、長さの上限については特に限定はされない。
また保型用ベルト部１の長手方向Ｙの幅については、特に限定されるものではないが、１０ｍｍから１００ｍｍ程度であることが好ましい。１０ｍｍ以下の場合は、グラブを締め付けた際にベルト部がグラブの表面革にくい込んでしまい、ベルト部の締め付け跡が残る不具合を生じる。１００ｍｍ以上の場合は、保型の際に指袋と指袋の間を通すのが困難になり、複雑なグラブ形状を実現できないという不具合を生じる。
【００１０】
また保型用ベルト部１の形状は、図１に示したように長手方向Ｙにおいて一定幅であり、周方向Ｘにおいて直線状の形状に限定されず、ベルト部の場所によって長手方向の幅に変化を与えることや周方向に直線状ではない形状とすることも可能である。
【００１１】
連結用ベルト部２は保形用ベルト部１と同様の素材で構成することができる。長手方向Ｙ及び／又は周方向Ｘにおける素材の伸縮の大きさは、保形用ベルト部１と同様に必要に応じて任意であってよいが、巻き付けた際に保型用ベルト部を長手方向にずれにくくするためには、長手方向Ｙには伸縮性がないことが好ましい。
【００１２】
図１では、長手方向において保型用ベルト部１と保型用ベルト部１との間に一定の間隔４を設けて保型用ベルト部１を配置したが、間隔４を設けずに保型用ベルト部１を連続的に配置することや間隔の大きさに大小をつけて配置することも可能である。間隔を設けた場合は図４に示すように保型用ベルト部を斜め方向に巻きつける場合に連結用ベルト部に生じる捩れを抑えることができる。
【００１３】
保型用ベルト部１の端部には係止具５を設ける。係止具５を設けることによってベルト部の端部を着脱可能とし、係止具を留めた状態（輪状）のベルト部と係止具を外した状態（端部が開放された状態）のベルト部を自在とすることができる。またこの係止具５で保型用ベルト部１の長さ（グラブの締め付け）を調整可能とする。従って、係止具の機能としては、ベルト部を固定する機能と長さ（締め付け）を調整する機能が必要であり、面ファスナー、ボタン、フックに加えて複数のＤ環や円環を用いて係止する方法など、従来の方法から選択することができる。
【００１４】
次に本発明の保型ベルト１０を用いてグラブを形付けする方法を説明する。まず、保型用ベルト部１の端部の係止具５を外し、保型用ベルト部１の端部が開放された状態とし、帯状となった保型用ベルト部１をグラブの各指袋の内側或いは外側を通して、使用者の好みに応じたグラブ形状となるように整えたうえで、各保型用ベルト部１の長さを調整し、係止具５を用いて各ベルト部を固定する。
【００１５】
図２（ａ）は本発明の保型ベルト１０を用いてグラブ２０を保持した状態を示す背面図、図２（ｂ）は同じく正面図を示している。図２では、ボール３０をグラブのポケット部に挟んだ状態で、上側の保型用ベルト部１ｃは、グラブ背面側の親指袋２４からウエブ部２５、人差指袋２６、中指袋２１までの領域ではベルト部をグラブの外側に配置すると共に中指袋２１と薬指袋２２との間から受球面側へとベルト部を通して、親指袋２４の縁部と結ぶように保型用ベルト部１ｃを固定する。次に中央の保型用ベルト部１ｄは、グラブ背面側の親指袋２４からウエブ部２５、人差指袋２６、中指袋２１、薬指袋２２までの領域ではベルト部をグラブの外側に配置すると共に薬指袋２２と小指袋２３との間から受球面側へとベルト部を通して、親指袋２４の縁部とを結ぶように保型用ベルト部１ｄを固定する。次に下側の保型用ベルト部１ｅはグラブ背面側から受球面側にいたる周方向において、グラブ外側の下方部を結ぶように保型用ベルト部１ｅを固定する。
【００１６】
図２に示すように保型ベルト１０を用いてグラブを固定することで、グラブ２０の上部は親指袋２４からウエブ部２５、人差指袋２６、中指袋２１までの領域が保型用ベルト部１ｃによってグラブ中心方向に向かって締め付けられた状態で保型される。グラブ２０の中央部は親指袋２４からウエブ部２５、人差指袋２６、中指袋２１、薬指袋２２までの領域が保型用ベルト部１ｄによってグラブ中心方向に向かって締め付けられた状態で保型される。グラブ２０の下部は保型用ベルト部１ｅが巻き付けられた周方向の領域全体がグラブ中心方向に向かって締め付けられた状態で保型される。また、小指袋２３の全体及び薬指袋２２の先端部は保型用ベルト部１ｃ、１ｄが巻きついておらず、グラブ中心方向への締め付けは生じないので、小指袋の全体と薬指袋の先端部とは他の指袋に比べてグラブの外側で保型される。
【００１７】
図３（ａ）は本発明の保型ベルト１０によって異なるグラブ形状を保型した状態を示す背面図、図３（ｂ）は同じく正面図を示している。
図３では、上側の保型用ベルト部１ｃは、グラブ背面側の親指袋２４からウエブ部２５、人差指袋２６までの領域ではベルト部をグラブの外側に配置し、中指袋２１と薬指袋２２の領域ではベルト部はグラブの内側を通し、小指袋２３の領域ではベルト部を再度グラブの外側に配置し、小指袋２３の縁部から受球面側へとベルト部を通して、親指袋２４の縁部と結ぶように保型用ベルト部１ｃを固定する。
次に中央の保型用ベルト部１ｄも前記の上側の保型用ベルト部１ｃと同様の方法で固定する。次に下側の保型用ベルト部１ｅはグラブ下部の周方向の最外部を結ぶようにベルト部を固定する。
【００１８】
図３に示すように保型ベルト１０を用いてグラブを固定することで、グラブ２０の上部及び中央部は親指袋２４からウエブ部２５、人差指袋２６までの領域と小指袋２４の領域が保型ベルト１０によってグラブ中心方向に向かって締め付けられた状態で保型される。また中指袋２１と薬指袋２２においてはベルト部が指袋の内側を通っており、グラブ中心方向へは締め付けられないので、中指袋２１と薬指袋２２は他の指袋に比べてグラブの外側で保型される（中指袋２１と薬指袋２２の領域が膨らみを持った形状となる。）。グラブ２０の下部は保型用ベルト部１ｅが巻き付けられた周方向の領域全体がグラブ中心方向に向かって締め付けられた状態で保型される。
【００１９】
図４（ａ）は本発明の保型ベルト１０における保型用ベルト部の異なる配置を示す背面図、図４（ｂ）は同じく正面図を示している。
図４では、ボール３０をグラブのポケット部に挟んだ状態で、上側の保型用ベルト部１ｃは、グラブ背面側の親指袋２４からウエブ部２５、人差指袋２６、中指袋２１、薬指袋２２、小指袋２３までの領域ではベルト部をグラブの外側に配置すると共に、受球面側では下側の円環５３ｂに通して固定する。次に中央の保型用ベルト部１ｄは、グラブ背面側の親指袋２４からウエブ部２５、人差指袋２６、中指袋２１までの領域ではベルト部をグラブの外側に配置すると共に中指袋２１と薬指袋２２との間から受球面側へとベルト部を通し、受球面側では上側の円環５１ｂを通して固定する。次に下側の保型用ベルト部１ｅは、グラブ背面側の親指袋２４から人差指袋２６、中指袋２１、薬指袋２２までの領域ではベルト部をグラブの外側に配置すると共に薬指袋２２と小指袋２３との間から受球面側へとベルト部を通し、受球面側では中央の円環５２ｂを通して固定する。
【００２０】
図４に示すように保型ベルト１０を用いてグラブを固定することで、グラブ２０の上部は親指袋２４からウエブ部２５、人差指袋２６、中指袋２１までの領域が保型用ベルト部１ｄによってグラブ中心方向に向かって締め付けられた状態で保型される。グラブ２０の中央部は親指袋２４からウエブ部２５、人差指袋２６、中指袋２１、薬指袋２２までの領域が保型用ベルト部１ｅによってグラブ中心方向に向かって締め付けられた状態で保型される。グラブ２０の下部は保型用ベルト部１ｃによって締め付けられた状態で保型されるが、図２の場合とは異なり受球面側の開口部２７付近は保型用ベルト部で締め付けられることなく、ゆとりを持った状態を保つことができる。また小指袋２３の全体及び薬指袋２２の先端部は保型用ベルト部１ｃ、１ｄが巻きついておらず、グラブ中心方向への締め付けは生じないので、小指袋の全体と薬指袋の先端部とは他の指袋に比べてグラブの外側で保型される。
【００２１】
前記のように、各指袋の根元部分、中央部、先端部等の位置で保型用ベルト部を巻きつける指袋と保型用ベルト部を巻きつけない指袋とを選択することや保型用ベルト部を配置しない領域を設けることで、使用者の好みに応じたグラブ形状の保型が実現可能となる。本発明の保型ベルトを用いれば、図２乃至図４に示したグラブ形状に限らず、従来技術では不可能であった複雑なグラブ形状も実現可能である。またグラブのポケット部に挟むボールの大きさや保型用ベルト部の締め付けの強さによってもグラブの形状を調整することができる。また保型用ベルト部を複数本設けることで、グラブに挟むボールもずれることなく固定され、ボールが安定した状態でグラブを保持することができる。
【００２２】
本発明の保型ベルトでは、図２乃至図４に示した形態に限らず、形状や素材がそれぞれ異なる保型用ベルト部１を２種類以上組み合わせて保型ベルトを構成することも可能である。
【実施例】
【００２３】
以下、図面を用いて実施例を説明する。
（実施例１）
本実施例の保型用ベルトの形状については、図１乃至図４で説明したところと同様であり、既に説明した部分は一部説明を省略する。
【００２４】
本実施例では、保型用ベルト部１は周方向Ｘにはある程度の伸縮性を有し、長手方向Ｙには伸縮性を持たないナイロン製の織物で構成し、また連結用ベルト部２は周方向Ｘ及び長手方向Ｙに伸縮性を持たないナイロン製の織物で構成した。同じ形状の保型用ベルト部を長手方向に３本配置し、３本の保型用ベルト部１は、各保型用ベルト部をまたがるように長手方向に配置される連結用ベルト部２を介して縫着によって一体化した。
【００２５】
保型用ベルト部１の周方向Ｘの長さ（円環５ｂを設けている端部から折り返し部分１ｂの端部までのベルト部全体の長さ）は６００ｍｍであり、長手方向Ｙの幅は２５ｍｍである。また保型用ベルト部１と保型用ベルト部１との間には１０ｍｍの間隔４をそれぞれ設けた。
【００２６】
保型用ベルト部１の端部には係止具５を設けた。本実施例では係止具５として、円環５ｂと面ファスナー５ａ（図１では点線で囲まれた部分）を設けた。保型用ベルト部１のベルト本体部分１ａと折り返し部分１ｂとに、それぞれ面ファスナーのループ面とフック面を設けて、保型用ベルト部１の長さの調整と固定を行う。
【００２７】
前記のように構成した保型ベルトを用いて、図２乃至図４で説明した方法によってグラブ形状の保持を行う。
【００２８】
（実施例２）
図５に実施例２の保型ベルト１１を示す。本実施例では保型用ベルト部１の本数を６本とした。保型用ベルト部１の素材や形状は実施例１で説明したところと同様である。本実施例の保型ベルト１１は実施例１の保型ベルト１０に比べて、保型用ベルト部１の数が増加したことにより、ベルト部をグラブに巻きつけるパターンを増やすことができるので、より複雑なグラブ形状の保型も可能である。
【００２９】
（実施例３）
図６に実施例３の保型ベルト１２を示す。本実施例では保型用ベルト部１の本数を３本とし、上側の保型用ベルト部１ｃと下側の保型用ベルト部１ｅは実施例１と同じままで、中央の保型用ベルト部１ｄの幅を５５ｍｍとした。各保型用ベルト部１の素材及び長さは実施例１で説明したところと同様である。本実施例の保型ベルト１１は実施例１の保型ベルト１０に比べて、中央の保型用ベルト部の幅が大きくなったことにより、充分な締め付けが実現可能となる。
【図面の簡単な説明】
【００３０】
【図１】図１は本発明の実施の形態（実施例１）を示す斜視図である。
【図２】図２（ａ）は本発明の保型ベルトを用いてグラブを保持した状態を示す背面図、図２（ｂ）は同じく正面図である。
【図３】図３（ａ）は本発明の保型ベルトによって図２とは異なるグラブ形状を保持した状態を示す背面図、図３は同じく正面図である。
【図４】図４（ａ）は本発明の保型ベルトにおいて保型用ベルト部の異なる配置を示す背面図、図４（ｂ）は同じく正面図である。
【図５】図５は本発明の実施例２の保型ベルトを示す斜視図である。
【図６】図６は本発明の実施例３の保型ベルトを示す斜視図である。
【符号の説明】
【００３１】
１０、１１、１２  保型ベルト  
１、１ｃ、１ｄ、１ｅ  保型用ベルト部
２  連結用ベルト部
４  間隔
５  係止具
５ａ  面ファスナー
５ｂ、５１ｂ、５２ｂ、５３ｂ  円環
２０  グラブ
２１  中指袋
２２  薬指袋
２３  小指袋
２４  親指袋
２５  ウエブ部
２６  人差指袋
２７  開口部
３０  ボール
Ｘ  周方向
Ｙ  長手方向
【図１】
2007202711.tif 000003
【図２】
2007202711.tif 000004
【図３】
2007202711.tif 000005
【図４】
2007202711.tif 000006
【図５】
2007202711.tif 000007
【図６】
2007202711.tif 000008